(57)【要約】【課題】負荷および表示部の遠隔制御システムに関し、表示部の消費電力を軽減することを目的とする。【解決手段】負荷１〜ｎを操作する操作スイッチ１ｃおよび負荷の状態を示す表示部1ａを有した操作端末器１と、負荷が接続される制御端末器３と、操作端末器１と制御端末器３間を信号線で接続する伝送ユニット２とを備え、操作スイッチ１ｃと、表示部1ａと、制御端末器３とは、それぞれアドレスが付与されており、特に、表示部1ａの輝度レベルを制御する情報があった場合に、伝送ユニット２を介して対応する表示部1ａに制御情報を供給して、表示部1ａの輝度の制御を行って、省電力を図るシステムである。【選択図】図1
2013069481.tif 000002
【特許請求の範囲】
【請求項１】
負荷を操作する操作スイッチおよび前記負荷の状態を示す表示部を有した操作端末器と、前記負荷が接続される制御端末器と、前記操作端末器と前記制御端末器間を信号線で接続する伝送ユニットとを備え、
前記操作スイッチと、前記表示部と、前記制御端末器とは、それぞれアドレスが付与されており、前記負荷を制御するための情報があった場合には、前記伝送ユニットを介して対応する前記制御端末器に制御情報を供給して、前記負荷を制御する一方、
前記表示部の輝度レベルを制御するための情報が得られた場合には、前記伝送ユニットを介して対応する表示部に制御情報を供給して、前記表示部の輝度レベルを制御するようにしたことを特徴とする負荷および表示部の遠隔制御システム。
【請求項２】
前記操作端末器に、前記表示部の輝度レベルを調節する調光ボリュームを設けたことを特徴とする請求項１に記載の負荷および表示部の遠隔制御システム。
【請求項３】
前記請求項１または２に記載の負荷および表示部の遠隔制御システムにおいて、
タイマ手段をさらに設け、予め設定された前記表示部の輝度レベル制御スケジュールにしたがって、前記伝送ユニットを介して前記表示部の輝度レベルを制御するようにしたことを特徴とする負荷および表示部の遠隔制御システム。
【請求項４】
前記請求項１または２に記載の負荷および表示部の遠隔制御システムにおいて、
前記負荷の使用者の入退室情報を得るための手段をさらに設け、その入退室情報に基づいて、前記伝送ユニットを介して前記表示部の輝度レベルを制御するようにしたことを特徴とする負荷および表示部の遠隔制御システム。
【請求項５】
負荷を操作する操作スイッチと、前記負荷の状態を示す表示部と、前記表示部を制御する制御部と、人感センサとを具備し、使用者が前記人感センサの所定距離内に近づいたことを感知し、前記制御部により前記表示部の輝度レベルを制御することを特徴とする操作端末器。
【請求項６】
前記操作端末器に、前記人感センサの有効・無効を切り替える人感センサスイッチを設けたことを特徴とする請求項５に記載の操作端末器。
【請求項７】
前記請求項５または６に記載の操作端末器と、前記負荷が接続される制御端末器と、前記操作端末器と前記制御端末器間を信号線で接続する伝送ユニットとを備え、
前記操作スイッチと、前記人感センサと、前記制御端末器とは、それぞれアドレスが付与されており、
前記人感センサを制御するための情報があった場合には、前記伝送ユニットを介して対応する人感センサに制御情報を供給して、前記人感センサを制御することを特徴とする負荷および表示部の遠隔制御システム。
【請求項８】
負荷を操作する操作スイッチと、前記負荷の状態を示す表示部と、前記表示部を制御する制御部と、照度センサとを具備し、前記照度センサからの照度情報に基づき前記表示部の輝度レベルを調整することを特徴とする操作端末器。
【発明の詳細な説明】
【技術分野】
【０００１】
本発明は、照明器具などの負荷を制御する操作端末器、並びに、負荷および表示部の遠隔制御システムに関するものである。
【背景技術】
【０００２】
従来、照明器具などの負荷のＯＮ/ＯＦＦを入力するスイッチを備えた操作端末器として、負荷がＯＮ状態のときには例えば赤色の、負荷がＯＦＦ状態のときには緑色のランプを点灯して、使用者が負荷の状態を視認できるように表示部を備えたものが知られている。
【０００３】
この種の操作端末器において、表示部は、使用者が負荷の状態を視認できるだけでなく、明かりの消えた暗い部屋等においても、ランプの点灯によりスイッチの位置が使用者にわかるようになっている（特許文献１）。
【０００４】
一方で、負荷の監視や制御を上位側から行えるようにした負荷制御システムも知られており、このようなシステムではスイッチのＯＮ/ＯＦＦを含む情報を信号線により伝送し、この情報を用いて負荷をＯＮ/ＯＦＦする技術が知られている。（特許文献２）
【先行技術文献】
【特許文献】
【０００５】
【特許文献１】特開平８-９６６８１号公報
【特許文献２】特開２０１１-１００３６号公報
【発明の概要】
【発明が解決しようとする課題】
【０００６】
ところで、負荷の状態を示す表示部は、使用者が不在の場合など、負荷の状態を表示する必要がない場合でも常に一定の明るさで点灯しており、オフィスや工場等、操作スイッチが多くある場所では、表示部といえどもその消費電力がかさんでしまうという問題があった。
【０００７】
そして、工場等においては、消費電力の観点から、守衛室等の遠隔位置から負荷自体の制御もさることながら、その負荷の状態を示す表示部を制御したいという要望もでている。
【０００８】
また、使用者が在室していないときはもとより、在室しているようなときでも、使用者が表示部の位置から離れているような場合もあり、このような時には使用者が在室していないと同様な問題が生じてしまう。あるいは、室内の明るさ状況に応じて表示部をそれほど明るくしておく必要性がない場合もあり得る。
【課題を解決するための手段】
【０００９】
上記課題を解決するために、本願請求項に係る発明は以下に記載の１）〜８）の手段より成る。
すなわち、
１）負荷を操作する操作スイッチおよび前記負荷の状態を示す表示部を有した操作端末器と、前記負荷が接続される制御端末器と、前記操作端末器と前記制御端末器間を信号線で接続する伝送ユニットとを備え、
前記操作スイッチと、前記表示部と、前記制御端末器とは、それぞれアドレスが付与されており、前記負荷を制御するための情報があった場合には、前記伝送ユニットを介して対応する前記制御端末器に制御情報を供給して、前記負荷を制御する一方、
前記表示部の輝度レベルを制御するための情報が得られた場合には、前記伝送ユニットを介して対応する表示部に制御情報を供給して、前記表示部の輝度レベルを制御するようにしたことを特徴とする負荷および表示部の遠隔制御システム。
２）前記操作端末器に、前記表示部の輝度レベルを調節する調光ボリュームを設けたことを特徴とする１）に記載の負荷および表示部の遠隔制御システム。
３）前記１）または２）に記載の負荷および表示部の遠隔制御システムにおいて、
タイマ手段をさらに設け、予め設定された前記表示部の輝度レベル制御スケジュールにしたがって、前記伝送ユニットを介して前記表示部の輝度レベルを制御するようにしたことを特徴とする負荷および表示部の遠隔制御システム。
４）前記１）または２）に記載の負荷および表示部の遠隔制御システムにおいて、
前記負荷の使用者の入退室情報を得るための手段をさらに設け、その入退室情報に基づいて、前記伝送ユニットを介して前記表示部の輝度レベルを制御するようにしたことを特徴とする負荷および表示部の遠隔制御システム。
５）負荷を操作する操作スイッチと、前記負荷の状態を示す表示部と、前記表示部を制御する制御部と、人感センサとを具備し、使用者が前記人感センサの所定距離内に近づいたことを感知し、前記制御部により前記表示部の輝度レベルを制御することを特徴とする操作端末器。
６）前記操作端末器に、前記人感センサの有効・無効を切り替える人感センサスイッチを設けたことを特徴とする５）に記載の操作端末器。
７）前記５）または６）に記載の操作端末器と、前記負荷が接続される制御端末器と、前記操作端末器と前記制御端末器間を信号線で接続する伝送ユニットとを備え、
前記操作スイッチと、前記人感センサと、前記制御端末器とは、それぞれアドレスが付与されており、
前記人感センサを制御するための情報があった場合には、前記伝送ユニットを介して対応する人感センサに制御情報を供給して、前記人感センサを制御することを特徴とする負荷および表示部の遠隔制御システム。
８）負荷を操作する操作スイッチと、前記負荷の状態を示す表示部と、前記表示部を制御する制御部と、照度センサとを具備し、前記照度センサからの照度情報に基づき前記表示部の輝度レベルを調整することを特徴とする操作端末器。
【発明の効果】
【００１０】
本願各請求項に係る発明によれば、操作端末器における表示部の待機時の消費電力を削減し、省エネに貢献することができる。
【図面の簡単な説明】
【００１１】
【図１】実施例1に係る負荷および表示部の遠隔制御システムの全体構成を示すブロック図である。
【図２】実施例１に係る操作端末器の回路ブロック図である。
【図３】実施例１に係るシーケンス図である。
【図４】実施例２に係る操作端末器の、壁に取り付けた状態で操作方向から見た正面図である。
【図５】実施例２に係る操作端末器の回路ブロック図である。
【図６】実施例３に係る負荷および表示部の遠隔制御システムの全体構成を示すブロック図である。
【図７】実施例４に係る負荷および表示部の遠隔制御システムの全体構成を示すブロック図である。
【図８】実施例４に係る操作端末器の、壁に取り付けた状態で操作方向から見た正面図である。
【図９】実施例４に係るシーケンス図である。
【図１０】実施例５に係る負荷および表示部の遠隔制御システムの全体構成を示すブロック図である。
【図１１】実施例６に係る負荷および表示部の遠隔制御システムの全体構成を示すブロック図である。
【発明を実施するための形態】
【００１２】
以下、本発明を実施する形態につき、好ましい実施例により具体的に説明する。
【実施例１】
【００１３】
まず、実施例１について図に基づいて説明する。
図１は、照明器具などの負荷の入出力を操作する操作スイッチを備えた操作端末器に設
けられ、負荷および表示部の遠隔制御システムの全体構成を示すブロック図である。
【００１４】
同図に示すように、負荷および表示部の遠隔制御システムは、例えば照明器具や換気扇等からなる複数の負荷１〜ｎと、操作端末器１と、伝送ユニット２と、制御端末器３と、減光制御要求タイマ４ａおよび点灯制御要求タイマ４ｂと、電源５と、トランス６とから構成されており、操作端末器１および制御端末器３および減光制御要求タイマ４ａおよび点灯制御タイマ４ｂは、伝送ユニット２と２線式の信号線で接続されている。
【００１５】
操作端末器１は、例えば、伝送ユニットから離れた壁等に設置され、使用者が照明器具等の負荷についてＯＮ/ＯＦＦの操作を行う操作スイッチ１ｃと、負荷のＯＮ/ＯＦＦの状態を表示する表示部１ａとを備えている。
【００１６】
表示部１ａは、例えば、操作スイッチ１ｃの両端に配置され、ＬＥＤを点灯させて制御対象の負荷の状態を表示させるものであって、いずれか一方を負荷がＯＮ状態のときに点灯させ、負荷がＯＦＦ状態であるときに、他方を点灯させる。さらに、負荷がＯＮ状態であるときに点灯するＬＥＤを赤色、負荷がＯＦＦ状態であるときに点灯するＬＥＤを緑色とすることによって、より視認しやすくすることができる。また、表示部１ａは所望の明るさの輝度レベルに変更することができるようになっている。
【００１７】
表示部１ａの表示はＬＥＤを点灯されて行うことに限らず、液晶表示などあらゆる表示手段を用いることによって実現してもよい。
【００１８】
伝送ユニット２は、操作端末器１の操作スイッチ１ｃおよび表示部１ａ、並びに制御端末器３を、アドレスによって対応づけ、それぞれを個別に認識することができ、操作スイッチ１ｃからの入力情報に応答して、制御端末器３を介して、負荷の制御を行うようになっている。
【００１９】
制御端末器３内には、伝送ユニット２に接続される図示しないリレー制御部と、負荷に接続される図示しないリレーがそれぞれ配設されている。
【００２０】
また、表示部１ａの輝度レベルに応じてタイマを備えている。このタイマは、例えば、操作スイッチ１ｃの使用頻度時間等に応じて輝度レベルを制御するようにしたものである。本実施例においては、輝度レベルの小さい方（例えば、レベル１）の制御要求を行うタイマを減光制御要求タイマ４ａ、輝度レベルがそれより大きい方（例えば、レベル２）の制御要求を行うタイマを点灯制御要求タイマ４ｂとしている。
【００２１】
減光制御要求タイマ４ａおよび点灯制御タイマ４ｂは、それぞれ、予め設定された表示部１ａの表示状態のレベル１および２のスケジュールに従って、伝送ユニット２へ制御要求を行うようになっている。
【００２２】
本実施例のように、調光できる輝度レベルが２段階のものに限らず、輝度が0−100％の範囲で任意の調光のレベル数を設定し、それに応じてタイマの数を増やしてもよい。
【００２３】
また、本実施例のように、タイマはそれぞれのレベルに対応してそれぞれ設けるのではなく、タイマ内の時計を共有して、タイマ内に設けられる図示しない制御部に格納されたプログラムにより各輝度レベルを制御するようにしてもよい。
【００２４】
電源５は、伝送ユニット２およびトランス６に接続されており、伝送ユニット２は商用電源からの電源の供給を受けて駆動し、制御端末器３および２つのタイマ４ａおよび４ｂは、トランス６により商用電源からの供給電力を制御端末器１の駆動に適するように変換した電源で駆動するようになっている。
【００２５】
次に、図２および図３を用いて負荷および表示部の遠隔制御システムの動作について説明する。図２は操作端末器１の回路ブロック図で、図３は、本実施例に係るシーケンス図である。
【００２６】
例えば、負荷がＯＦＦ状態のときに、使用者により操作端末器１の操作スイッチ１ｃが操作されると、制御部１ｄは、当該操作スイッチ１ｃに割り当てられたアドレスを図示しないアドレス記憶部から呼び出す。続いて、そのアドレス情報に基づく信号を生成し、この信号を送信部１ｇから伝送ユニット２に送信する。伝送ユニットは、伝送されたアドレス情報から該当するアドレスが設定された制御端末器３の図示しないリレー制御部へ信号を供給し、制御端末器３のリレーが閉成されて負荷がＯＮ状態になる。
【００２７】
また、これとは逆に負荷がＯＮ状態のとき、使用者により操作端末器１の操作スイッチ１ｃが操作されると、上記と同様に伝送ユニットを介し、制御端末器のリレーが開成されて負荷がＯＦＦ状態になる。
【００２８】
このようにして、負荷のＯＮ/ＯＦＦ制御を行うように構成している。
また、操作端末器1の制御部１ｄは、受信部１ｆが伝送ユニットから受信した伝送信号からリレーのアドレスと負荷の動作情報を取り出し、アドレス記憶部に記憶された各操作スイッチ１ｃに割り当てたアドレスの何れかと一致すれば、負荷の動作情報に基づいて表示部１ａに点灯信号を出力して表示部１ａの発光色を変更するようになっている。具体的には、アドレスに対応する負荷がＯＮ状態を示す動作情報を含んでいれば、表示部１ａを赤色に発光させ、また、負荷がＯＦＦ状態を示す動作情報を含んでいれば、表示部１ａを緑色に発光させる。これにより、操作スイッチの遠隔に設置された負荷の状態を使用者が視認することができる。
【００２９】
また、減光制御要求タイマ４ａおよび点灯制御タイマ４ｂには、表示部１ａを制御する日時のスケジュールをあらかじめ設定しておく（例えば、月曜日から金曜日の従業者の定時の勤務時間帯である９時から１７時は、使用頻度も多いことから、表示部の輝度をレベル２にしておくスケジュールを設定しておく）。
【００３０】
また、このスケジュールの設定は、予め減光制御要求タイマ４ａおよび点灯制御タイマ４ｂ内の図示しない制御部に格納されたプログラムによりスケジュールを設定するようになっている。
【００３１】
この減光制御要求タイマ４ａは、あらかじめ設定されたスケジュールにしたがって、表示部１ａの輝度を、減光されたレベル１にする時間（例えば、定時退社時間の１７時）に至ると、伝送ユニット２へ表示部１ａの輝度を減少させる制御を要求する信号を出力する。伝送ユニット２は、該当する表示部１ａに対応する表示部制御アドレスを取り出し、表示部１ａに対応する表示部制御アドレスを取り出し、表示部１ａの輝度を減少させる信号を出力する。その表示部制御アドレスに該当する操作端末器１は受信部１ｆを介して信号を受信すると、制御部１ｄが、表示部１ａの輝度を減少させる。
【００３２】
さらに、前述とは逆に例えば就業時間に至る９時になると、点灯制御タイマ４ｂは、伝送ユニット２へ表示部１ａの輝度をレベル２にする制御要求をし、伝送ユニット２は、該当する表示部１ａの輝度をレベル２にする信号を出力するようになっている。
このようにして、タイマに予め設定しておいたスケジュールにしたがって、表示部の輝度を切り替えることができ、省エネに貢献できる。
【００３３】
このように、不在時間の多い時間など、表示部１ａの点灯があまり必要のない場合、操作スイッチから離間した遠隔から表示部１ａの輝度を調節することで、待機時の消費電力を削減し、省エネに貢献することができる。
【実施例２】
【００３４】
次に実施例２につき、説明する。図４は、実施例２に係る操作端末器の、壁に取り付けた状態で操作方向から見た正面図、図５は、実施例２に係る操作端末器の回路ブロック図である。前述の実施例１で説明したと同一の構成部には同一符号を付して説明を省略し、異なる構成部についてのみ説明する。
【００３５】
符号２０ｂは調光ボリュームであり、使用者が表示部２０ａの輝度レベルを調節することができる。
【００３６】
この場合、負荷を使用している使用者自身が、例えば、表示部２０ａの輝度レベルが大きすぎると判断した場合、制御端末器１の調光ボリュームを操作することで、調光ボリュームは、制御部２０ｄへ制御を要求し、表示部２０ａの輝度レベルを小さくすることができる。
【００３７】
このように、操作スイッチから離間した遠隔からの制御だけでなく、使用者自身が表示部の輝度を調節することができ、例えば、スイッチが設けられる箇所の環境に応じて、周囲の明るさが異なっている場合など、使用者の使用頻度に応じて、使用者の意向に応じて適宜対応することができ、利便性が向上する。
【実施例３】
【００３８】
次に、実施例３について説明する。
図６は、実施例３における負荷および表示部の遠隔制御システムの全体構成を示すブロック図である。
【００３９】
符号７は、入退室管理システムであり、ＩＣカードなどで従業者の入退室が管理されているような場合には、その入退室の情報を利用することができる。
【００４０】
この場合、例えば、入退室管理システム７から入室する情報が出力されると、入退室管理システム７と伝送ユニット２に接続される、図示しない接点連動が、伝送ユニット２へ表示部３０ａの輝度レベルを２にする制御を要求する信号を出力する。伝送ユニット２は、該当する表示部の負荷に対応する表示部制御アドレスと表示部の輝度レベルを２にする信号を出力し、該当する操作端末器の制御部は、表示部３０ａの輝度レベルを２にする。また、退室の情報が出力されると、伝送ユニット２へ表示部３０ａの輝度レベルを１にする制御要求をし、伝送ユニット２は、該当する表示部の輝度レベルを１にする信号を出力する。
【００４１】
このように、入退室管理システムを用いて、表示部３０ａを制御することにより、タイマを用いた場合に比べ適用性があり、負荷の使用が変則的な場合においても、使用者の利便性が増しつつ、省エネを図ることができる。さらに、使用者の在室状況に応じて表示部の輝度を調節するため、タイマを用いた場合に比べ、さらなるきめ細かな省エネを図ることができる。
【実施例４】
【００４２】
次に実施例４について説明する。
図７は、その実施例に係る負荷および表示部の遠隔制御システムの全体構成を示すブロック図で、図８は操作端末器１の壁に取り付けた状態で操作方向から見た正面図である。
前述の実施例と同様に同一構成部には同一符号を付して異なる構成部についてのみ説明する。
【００４３】
符号４０ｈは人感センサであり、操作端末器４０に内蔵されている。さらに、操作端末器４０には、人感センサ４０ｈのＯＮ／ＯＦＦを入力する人感センサスイッチ４０ｉを備えている。人感センサ４０ｈは、例えば、赤外線照射等により構成される。この人感センサ４０ｈにより操作端末器４０の近傍に人がいるかどうかを判断し、人が近傍にいる場合のみ、表示部４０ａの輝度をレベル２にするよう、操作端末器４０の図示しない制御部４０ｄに制御要求をし、表示部４０ａの輝度レベルを２にする。
【００４４】
また、人感センサ４０ｈにより、操作端末器４０の近傍に人がいない場合、表示部４０ａの輝度レベルを１にするように制御要求し、表示部４０ａの輝度を減光する。
【００４５】
また、使用者が人感センサ４０ｈの有効・無効を、人感センサスイッチ４０ｉによって切り替えることも可能である。
【００４６】
図９にそのシーケンス図を示している。同図に示すように、人感センサ４０ｈが所定距離内に赤外線照射による熱線を感知したときに、表示部４０ａへレベル２の制御要求をし、表示部４０ａの輝度レベルを２にするようになっている。また、人感センサ４０ｈが熱線を感知しないときには、表示部４０ａの輝度レベルを１にするようになっている。
【００４７】
前述のように、使用者が照明器具等の負荷を制御しようと操作端末器４０に近づいたときのみ、表示部４０ａの輝度を明るくするようにでき、待機時の消費電力を削減し、省エネに貢献することができる。さらに、人感センサスイッチ４０ｉを設けたことにより、人感センサの頻度や、表示部４０ａの確認頻度等の状況に合わせて、人感センサのＯＮ/ＯＦＦの変更を行うことで、省エネでありながらも、利便性を考慮したシステムとすることが可能となる。
【実施例５】
【００４８】
次に実施例５について説明する。
符号５０ｊは、照度センサであり、操作端末器５０に内蔵されている。照度センサ５０ｊは、操作端末器５０の周辺の輝度に対応して、図示しない制御部へ照度レベルの情報を出力し、制御部は、表示部５０ａへ表示部の輝度を調節する信号を出力する。例えば、周辺照度がある一定値よりも小さいときは、表示部５０ａの輝度レベルを１に、逆に、周辺照度が大きいときは、表示部５０ｂの輝度レベルを２にする。
【００４９】
このように、個々の操作端末器周辺の輝度に応じて、表示部の輝度を自動的に検知して輝度レベルを調整することができるので、更なる利便性と省電力化に貢献できる。
【実施例６】
【００５０】
次に実施例６について説明する。
図９は、その実施例に係る負荷および表示部の遠隔制御システムの全体構成を示すブロック図である。
【００５１】
符号６０ｈは人感センサであり、アドレスを付与し、伝送ユニットが個別に識別できるようになっている。
【００５２】
符号８は人感センサ用タイマであり、複数ある人感センサ６０ｈを制御する日時や、そのＯＮ/ＯＦＦの制御内容を予めタイムスケジュールを設定しておく。そして、その人感センサ６０ｈのＯＮ/ＯＦＦスケジュールにしたがって、伝送ユニット２へ制御要求を行う。
【００５３】
人感センサ用タイマ８は、あらかじめ設定された人感センサ６０ｈをＯＮにする時間が来ると、伝送ユニット２へ人感センサ６０ｈをＯＮにする制御を要求する信号を出力する。伝送ユニット２は、該当する人感センサ６０ｈに対応する人感センサ６０ｈの制御アドレスを取り出し、人感センサ６０ｈをＯＮにする信号を出力する。その人感センサ制御アドレスに該当する操作端末器１は図示しない受信部６０ｆを介して信号を受信すると、図示しない制御部６０ｄが、人感センサ６０ｈをＯＮにする。
【００５４】
さらに、人感センサ６０ｈをＯＦＦにする時間になると、人感センサ用タイマ８は、伝送ユニット２へ人感センサ６０ｈをＯＦＦにする制御要求をし、伝送ユニット２は、該当する人感センサ６０ｈをＯＦＦにする信号を出力する。
【００５５】
このようにして、人感センサ用タイマ８に予め設定しておいたスケジュールにしたがって、人感センサ６０ｈのＯＮ/ＯＦＦを切り替えることができる。
【符号の説明】
【００５６】
１、２０、３０、４０、５０、６０    操作端末器
１ａ、２０ａ、３０ａ、４０ａ、５０ａ、６０ａ    表示部
１ｃ、２０ｃ、３０ｃ、４０ｃ、５０ｃ、６０ｃ    操作スイッチ
１ｄ、２０ｄ    制御部
１ｅ、５、２０ｅ    電源部
１ｆ、２０ｆ    受信部
１ｇ    送信部
２    伝送ユニット
３    制御端末器
４ａ    減光制御要求タイマ
４ｂ    点灯制御要求タイマ
６    トランス
７    入退室管理システム
８    人感センサ用タイマ
２０ｂ    調光ボリューム
２０ｇ    送信部
４０ｈ、６０ｈ    人感センサ
４０ｉ      人感センサスイッチ
５０ｊ      輝度センサ
【図１】
2013069481.tif 000003
【図２】
2013069481.tif 000004
【図３】
2013069481.tif 000005
【図４】
2013069481.tif 000006
【図５】
2013069481.tif 000007
【図６】
2013069481.tif 000008
【図７】
2013069481.tif 000009
【図８】
2013069481.tif 000010
【図９】
2013069481.tif 000011
【図１０】
2013069481.tif 000012
【図１１】
2013069481.tif 000013